(57)【要約】【課題】付箋紙への印刷を良好とすることができる付箋紙プリンタを提供する。【解決手段】付箋紙束１２から１枚の付箋紙１２ｈを引き剥がしながらこれを送り出す付箋紙送り手段２０と、引き剥がされてゆく付箋紙１２ｈに印刷を行う印刷手段２３と、を備え、付箋紙送り手段２０は、付箋紙束１２と引き剥がされる付箋紙１２ｈとがなす引き剥がし角度が鈍角となるよう、付箋紙１２ｈを引き剥がす。【選択図】図４
2007204265.tif 000002
【特許請求の範囲】
【請求項１】
付箋紙束をセットするセット部と、
セットした付箋紙束から１枚ずつ付箋紙を捲り上げた後、前記付箋紙を挟持し、前記付箋紙の糊付け部を引き剥がしながら送り出す付箋紙送り手段と、
引き剥がされながら送り出されてゆく前記付箋紙に臨み、前記付箋紙に印刷を行う印刷手段と、を備え、
前記付箋紙送り手段は、前記付箋紙束の長手方向に対する前記付箋紙の引き剥がし角度が、鈍角および略直角のいずれかとなるように前記付箋紙を引き剥がすことを特徴とする付箋紙プリンタ。
【請求項２】
前記付箋紙送り手段は、前記付箋紙を挟持する挟持位置において前記付箋紙に引き剥がし力を付与し、
前記挟持位置は、前記引き剥がし角度が鈍角となるように、前記付箋紙の糊付け部側端から前記付箋紙束の長手方向に対し直角に延ばした仮想線の外側に位置していることを特徴とする請求項１に記載の付箋紙プリンタ。
【請求項３】
前記付箋紙送り手段は、前記付箋紙を捲り上げる送りローラと、捲り上げた前記付箋紙を前記送りローラとの間で挟持する挟持部材とを有し、
且つ前記印刷手段は、前記付箋紙に印刷を行う印刷ヘッドを有しており、
前記印刷ヘッドは、前記挟持部材を兼ねていることを特徴とする請求項１または２に記載の付箋紙プリンタ。
【請求項４】
前記送りローラは、自身の下側に接触した前記付箋紙を自身の上側に載るように捲り上げ、
前記付箋紙送り手段は、前記送りローラを、上側に前記付箋紙を載せた状態で前記印刷ヘッドに挟持させるように移動させる移動機構を、更に有していることを特徴とする請求項３に記載の付箋紙プリンタ。
【請求項５】
前記セット部は、前記付箋紙の引き剥がしに抗して、前記付箋紙束の自由端側の端部および糊付け部側の端部を押さえる一対の爪片を有していることを特徴とする請求項１ないし４のいずれかに記載の付箋紙プリンタ。
【発明の詳細な説明】
【技術分野】
【０００１】
本発明は、付箋紙束から１枚ずつ付箋紙を引き剥がしながらこれに印刷を行う付箋紙プリンタに関するものである。
【背景技術】
【０００２】
従来、この種の付箋紙プリンタとして、付箋紙束に送りローラを転接させて最上位の付箋紙を送りローラに載り上げるよう捲り上げると共に、この状態で送りローラを上動させてサーマルヘッドに挟持させ、送りローラを回転させて付箋紙を引き剥がしながら印刷するものが知られている（特許文献１参照）。この付箋紙プリンタでは、サーマルヘッドが付箋紙束の自由端側の直上部に配設されており、付箋紙束と引き剥がされる付箋紙とが為す引き剥がし角度が鋭角となっている。
【特許文献１】特開２００３−０８１４５７号公報
【発明の開示】
【発明が解決しようとする課題】
【０００３】
しかしながら、付箋紙を鋭角方向に引き剥がす構成では、その糊付け部に層間滑りを生じさせつつ引き剥がすことになる。このため、付箋紙には、引き剥がし中において強いバックテンションが付与され、且つ引き剥がされた瞬間に、このバックテンションはゼロとなる。一方、サーマルヘッドによる印刷動作は、この引き剥がし動作の前後に亘って行われる。このため、印刷時において、付箋紙に加わるバックテンションの変化により、印刷送りの速度が不安定なものとなり、印刷された付箋紙に印刷スジ等の印刷不良が生じてしまう問題があった。
【０００４】
本発明は、付箋紙束から引き剥がしつつ送り出されてゆく付箋紙に印刷を行っても、付箋紙への印刷を良好に行うことができる付箋紙プリンタを提供することを課題とする。
【課題を解決するための手段】
【０００５】
本発明の付箋紙プリンタは、付箋紙束をセットするセット部と、セットした付箋紙束から１枚ずつ付箋紙を捲り上げた後、付箋紙を挟持し、付箋紙の糊付け部を引き剥がしながら送り出す付箋紙送り手段と、引き剥がされながら送り出されてゆく付箋紙に臨み、付箋紙に印刷を行う印刷手段と、を備え、付箋紙送り手段は、付箋紙束の長手方向に対する付箋紙の引き剥がし角度が、鈍角および略直角のいずれかとなるように付箋紙を引き剥がすことを特徴とする。
【０００６】
この構成によれば、付箋紙束から付箋紙の糊付け部を容易に引き剥がすことができるため、付箋紙に加わるバックテンションは、極力小さいものとすることができる。これにより、付箋紙を送る速度を、安定したものとすることができ、付箋紙への印刷を良好なものとすることができる。
【０００７】
この場合、付箋紙送り手段は、付箋紙を挟持する挟持位置において付箋紙に引き剥がし力を付与し、挟持位置は、引き剥がし角度が鈍角となるように、付箋紙の糊付け部側端から付箋紙束の長手方向に対し直角に延ばした仮想線の外側に位置していることが、好ましい。
【０００８】
この構成によれば、挟持位置を仮想線の外側に位置させるだけの簡易な構成で、付箋紙を鈍角方向に引き剥がすことができる。このため、従来の構成に比して、大幅な変更を加える必要がない。
【０００９】
この場合、付箋紙送り手段は、付箋紙を捲り上げる送りローラと、捲り上げた付箋紙を送りローラとの間で挟持する挟持部材とを有し、且つ印刷手段は、付箋紙に印刷を行う印刷ヘッドを有しており、印刷ヘッドは、挟持部材を兼ねていることが、好ましい。
【００１０】
この構成によれば、印刷ヘッドと送りローラとで付箋紙を引き剥がしながら印刷することができる。このため、送りローラをプラテンローラとして機能させることができるため、部品点数を削減することができ、ひいてはコストの軽減を図ることができる。
【００１１】
この場合、送りローラは、自身の下側に接触した付箋紙を自身の上側に載るように捲り上げ、付箋紙送り手段は、送りローラを、上側に付箋紙を載せた状態で印刷ヘッドに挟持させるように移動させる移動機構を、更に有していることが、好ましい。
【００１２】
この構成によれば、捲り上げた付箋紙を、送りローラに載せた状態で移動させることにより、容易に挟持位置へ付箋紙を移動させることができると共に、印刷ヘッドと送りローラとの間に適宜付箋紙を挟持させることができる。
【００１３】
この場合、セット部は、付箋紙の引き剥がしに抗して、付箋紙束の自由端側の端部および糊付け部側の端部を押さえる一対の爪片を有していることが、好ましい。
【００１４】
この構成によれば、付箋紙束を位置規制した状態で、付箋紙を引き剥がすことができるため、糊付け部の粘着力が強い場合であっても、引き剥がされる付箋紙に付箋紙束が連れられることなく、付箋紙を１枚ずつ確実に引き剥がすことができる。
【発明を実施するための最良の形態】
【００１５】
以下、添付の図面を参照して、本発明の一実施形態に係る付箋紙プリンタおよびこれを適用した付箋紙印刷システムについて説明する。図１に示すように、付箋紙印刷システム１は、１以上の文字、図形等から成る所望のキャラクタ列を印刷した付箋紙１２ｈを得るためのものであって、付箋紙束１２（図３参照）がセットされる付箋紙プリンタ２と、付箋紙プリンタ２にＵＳＢ４等で接続され、付箋紙プリンタ２に各種制御信号を出力すると共に、キャラクタ列を作成・編集して、付箋紙プリンタ２に印刷データを供給するパソコン３とから構成されている。
【００１６】
パソコン３は、データを入力するキーボード１０１およびマウス１０２や、入力結果等を表示するディスプレイ１０３を有するほか、付箋紙プリンタ２に関するアプリケーションソフト（プログラム）やデバイスドライバ等のデータを記憶したＣＤ−ＲＯＭ１０４等の外部記憶媒体が組み込まれている。そして、キーボード１０１等から各種検出信号、各種指令、各種データ等が入力されると、ＣＰＵやメモリ等で構成された制御部１０５（図３参照）は、ＣＤ−ＲＯＭ１０４内のプログラムに従って、メモリ内の各種データを処理し、付箋紙プリンタ２を制御するようになっている。
【００１７】
なお、当然ではあるが、付箋紙プリンタ２に印刷データの作成・編集機能や各部の制御機能を設け、付箋紙プリンタ２を単体として用いて、付箋紙１２ｈに対する印刷を行うようにしてもよい。
【００１８】
図２に示すように、付箋紙プリンタ２は、装置ケース１３により外殻が形成され、その内部に付箋紙束１２（図３参照）がセットされるよう構成されており、セットした付箋紙束１２から１枚ずつ引き剥がした付箋紙１２ｈに対し、パソコン３から取得した印刷データに基づいて、所望のキャラクタ列を印刷すると共に、これを装置ケース１３に形成した排紙口１７から送り出すようにしたものである。
【００１９】
図３を参照すると、付箋紙束１２は、裏面の基端部を部分糊付けした複数の付箋紙１２ｈから構成されている。すなわち、付箋紙束１２は、同一形状（長方形）且つ同一サイズの複数の付箋紙１２ｈを、それぞれ裏面の基端部を部分糊付けして積層したものである。付箋紙１２ｈは、付箋紙束１２から１枚ずつ剥離可能に構成されていると共に、剥離後に、この糊付け部（粘着剤）を介して、手帳等の被貼着物に再貼着可能に構成されている。なお、付箋紙１２ｈの長手方向における糊付け部の長さは、通常、５ｍｍ〜１５ｍｍ程度である。
【００２０】
付箋紙プリンタ２は、付箋紙束１２をセットする付箋紙ホルダ２１と、セットした付箋紙束１２から最上位の付箋紙１２ｈの自由端部を捲り上げ、糊付け部を引き剥がしながら自由端側を先にして排紙口１７へ送り出す付箋紙送り手段２０と、引き剥がされながら送られてゆく付箋紙１２ｈに印刷を行う印刷手段２３と、装置ケース１３内の排紙口１７近傍に配置され、付箋紙１２ｈの有無を検出する検出センサ２４と、これらを収容する装置ケース１３と、を備えている。
【００２１】
装置ケース１３は、全体として小型であって且つマウス形に形成されており、下面には付箋紙束１２をケース内部に下方から導入するための付箋紙導入開口１６が形成され、上面中央には印刷済み付箋紙１２ｈをケース外部に送り出すための水平スリット状の排紙口１７が形成されている。また、装置ケース１３の上面には、インクリボンＲを収容したリボンカートリッジＣを装着するための開閉蓋１８が取り付けられている。
【００２２】
付箋紙ホルダ２１は、所定サイズの付箋紙束１２を保持するものであって、上面を開放したボックス状に形成され、付箋紙束１２を水平に載置する方形のセットステージ３６と、セットステージ３６を上下方向にスライド自在に案内する四周枠状の導入ガイド３７と、複数のコイルばね３２を介してセットステージ３６を下側から支持すると共に、付箋紙導入開口１６を閉塞する蓋体３３と、から構成されている。また、導入ガイド３７の上端部の前後には、付箋紙束１２の自由端部および糊付け部を相対的に押さえる一対の爪片３８、３８が内向きの突設されている。セットステージ３６は、複数のコイルばね３２により上方に付勢されており、これにセットされた付箋紙束１２は、付箋紙１２ｈが１枚ずつ送り出され目減りしても、一対の爪片３８、３８に位置規制されて、その最上位に位置する付箋紙１２ｈの高さレベルが一定となっている。
【００２３】
付箋紙ホルダ２１は、装置ケース１３に対して蓋体３３がスナップイン形式で掛け止めされて、付箋紙プリンタ２に着脱自在となっている。すなわち、付箋紙ホルダ２１に付箋紙束１２をセットするときには、付箋紙ホルダ２１を付箋紙プリンタ２から取り外し、ホルダ本体３１に付箋紙束１２を入れた後、再び付箋紙ホルダ２１を付箋紙プリンタ２にスナップインで取り付ける。この状態で、蓋体３３の下面と装置ケース１３の下面とが面一となって、付箋紙導入開口１６が閉塞される。
【００２４】
付箋紙送り手段２０は、付箋紙束１２の最上位の付箋紙１２ｈを捲り上げ、且つ後述するサーマルヘッド６１との間に付箋紙１２ｈを挟持して回転送りする送りローラ４１と、送りローラ４１の駆動源となる駆動モータ４２と、駆動モータ４２の駆動力を送りローラ４１に伝達する減速ギヤ列４３と、送りローラ４１を、付箋紙１２ｈを捲り上げる捲り位置４５と、付箋紙１２ｈをサーマルヘッドと挟持する挟持位置２５との間で移動させるローラ移動機構４４と、を備えている。
【００２５】
送りローラ４１は、捲り上げた付箋紙１２ｈの自由端側の裏面に転接すると共に、挟持位置２５において、これを引き剥がしながら回転送りするものであり、付箋紙１２ｈに直接転接するローラ本体４６と、ローラ本体４６を回転自在に装着したローラ駆動軸４７とを有している。ローラ駆動軸４７は、両端部をローラ移動機構４４に回転自在に両持ちで保持され、減速ギヤ列４３を介して伝達される駆動モータ４２の動力により回転する。
【００２６】
ローラ本体４６は、シリコンゴム等の耐熱性を有する高摩擦材料で構成されており、送りローラ４１が、付箋紙１２ｈに転接してこれを捲り上げる機能と、後述するサーマルヘッド６１と協働するプラテンローラの機能とを併せ持つようになっている。
【００２７】
さらに、送りローラ４１は、ワンウェイクラッチを有し、排紙口１７からの付箋紙の引出し操作に伴い、自由回転するようになっている。すなわち、ローラ駆動軸４７には、径方向に延在するように係合部４８が突設され、ローラ本体４６の端面には、ローラ駆動軸４７の回転方向において係合部４８が係合する係合受け部４９が突設されており、この係合部４８と係合受け部４９とからワンウェイクラッチが構成されている。
【００２８】
このため、ローラ駆動軸４７が正方向（付箋紙１２ｈを排紙口１７に送り出す方向）に回転すると、各係合部４８が正方向側から各係合受け部４９に係合し、ローラ駆動軸４７の回転力がローラ本体４６に伝達され、ローラ本体４６がローラ駆動軸４７と一体となって正方向に回転する。一方、排紙口１７から付箋紙１２ｈを引き出すと、係合受け部４９が正方向に回転し、付箋紙１２ｈが取り出されるまで、ローラ本体４６がローラ駆動軸４７に対して自由回転する。なお、ローラ本体４６は、その外周長が、付箋紙ホルダ２１にセットされる付箋紙束１２の各付箋紙１２ｈの糊付け部の長さよりも長くなるよう構成されている。
【００２９】
駆動モータ４２は、ＤＣモータで構成されており、その出力軸には、エンコーダ５１が設けられている。このエンコーダ５１の出力するパルス信号に基づいて、付箋紙１２ｈの送り量が制御され、さらにはサーマルヘッド６１の発熱駆動が制御される。
【００３０】
ローラ移動機構４４は、先端部でローラ駆動軸４７を回転自在に保持すると共に、基端部を中心に回動（揺動）自在に構成された一対の回動アーム５３を有しており、例えば、一方の回動アーム５３をキャリアとし、且つ上記の減速ギヤ列４３を構成する一部のギヤを利用した遊星歯車機構と、そのギヤの回転力を回動アーム５３の回動動作に変換するカム機構とにより構成されている。すなわち、遊星歯車機構による円運動が、カム機構により回動アーム５３の往復回動運動に変換されるようになっている。この回動アーム５３の往復回動運動により、送りローラ４１が、捲り位置４５と挟持位置２５との間で移動する。
【００３１】
印刷手段２３は、排紙口１７に近傍に配設されたサーマルヘッド６１と、装着されたリボンカートリッジＣのインクリボンＲを巻き取るリボン巻取り機構（図示省略）とを有している。リボンカートリッジＣは、インクリボンＲを繰り出し自在に巻回したリボン繰出しリール６６と、インクリボンＲを巻き取るリボン巻取りリール６７と、これらを回転自在に収容するカートリッジケース（図示省略）とから構成されている。また、リボン巻取り機構は、送りローラ４１が挟持位置２５へ移動すると、上記の減速ギヤ列４３と連結して駆動モータ４２からの動力が入力するようになっており、付箋紙１２ｈの送りと併せて、インクリボンＲの巻取り（送り）を開始するようになっている。
【００３２】
このようにして構成された印刷手段２３は、パソコン３からの制御信号により、サーマルヘッド６１および駆動モータ４２が制御されながら、付箋紙１２ｈに対する印刷を行う。すなわち、挟持位置２５に移動した送りローラ４１とサーマルヘッド６１との間で、付箋紙１２ｈとインクリボンＲとを挟み込み、これらを同方向に送りつつ、サーマルヘッド６１の発熱駆動により付箋紙１２ｈの表面に印刷を行う。
【００３３】
ここで、挟持位置２５では、上記のようにサーマルヘッド６１による印刷駆動と、これに同期して送りローラ４１による送り（併せて印刷送り）とが行われると同時に、この送りに伴う付箋紙１２ｈの付箋紙束１２からの引き剥がしが行われる。すなわち、送りローラ４１による送り力が、挟持位置２５を基点として付箋紙１２ｈに引き剥がし力として作用する。この引き剥がし力は、付箋紙束１２の長手方向に対し、引き剥がす付箋紙１２ｈを鈍角方向となるよう、挟持位置２５が位置決めされている。すなわち、挟持位置２５は、セットステージ３６に水平にセットされた付箋紙束１２の糊付け部側端から、鉛直に延ばした仮想線６８よりも外側（図示右側）に位置している。これにより、サーマルヘッド６１は、挟持位置２５において印刷可能となるよう位置決めされ、また、回動アーム５３は、送りローラ４１をサーマルヘッド６１に向かって転接するように移動させる。
【００３４】
図３に示すように、検出センサ２４は、挟持位置２５に上動した送りローラ４１に対して送り方向の下流側、すなわち送りローラ４１と排紙口１７との間に配設されている。検出センサ２４は、図示しないが、付箋紙１２ｈ（送り経路）を間に挟んで対向する発光素子および受光素子が組み込まれた光センサで構成されている。
【００３５】
検出センサ２４による検出信号は、パソコン３に入力され、その検出結果に基づいて、付箋紙１２ｈの送り量が制御されている。すなわち、検出センサ２４により、送られてくる付箋紙１２ｈの先端（自由端）が検出（検出結果が「無」→「有」）され、その先端検出を基準として、付箋紙が所定量送られる。具体的には、パソコン３の制御部１０５により、糊付け部が送りローラ４１に達した（接触した）ところで、駆動モータ４２を駆動停止させ、送りローラ４１の回転駆動が停止するように制御されている。すなわち、排紙口１７から送り出された付箋紙１２ｈは、送りローラ４１とサーマルヘッド６１とに保持された状態で、排紙口１７から大きく突出し、ユーザによる取り出しを待つ。
【００３６】
さらに、付箋紙１２ｈの印刷・送り終了後、付箋紙１２ｈが排紙口１７から取り出されたことが検出（「有」→「無」）されるまでは、次の付箋紙１２ｈの印刷に移行しないようになっている（詳細は後述する）。
【００３７】
そして、パソコン３の制御部１０５は、送りローラ４１による付箋紙１２ｈの送りと、サーマルヘッド６１の発熱駆動とを制御して、付箋紙１２ｈの空送り、すなわち印刷を行うことなく付箋紙１２ｈを送り出すことができるように構成されている。これにより、印刷された付箋紙１２ｈを得ることができると共に、何も印刷されていない付箋紙１２ｈをも得ることもできる。つまり、付箋紙プリンタ２を、付箋紙ディスペンサーとして機能させることができる。
【００３８】
なお、印刷後のインクリボンＲは、リボンカートリッジ１４内で巻き取られると共に、印刷後の付箋紙１２ｈは、付箋紙束１２から引き剥がされ、自由端側を先にして排紙口１７から送り出される。
【００３９】
ここで、図４を参照して、付箋紙１２ｈの捲り上げから排出に至る一連の動作について説明する。印刷待機状態において、送りローラ４１は、捲り位置４５にあり、付箋紙ホルダ１１にセットされた付箋紙束４の最上位の付箋紙１２ｈの表面に転接している（図４（ａ）参照）。
【００４０】
パソコン３により印刷開始を指示すると、送りローラ４１は回転して付箋紙１２ｈの捲り上げ動作を開始する。すなわち、送りローラ４１が最上位の付箋紙１２ｈに対し、表面の自由端側巻き込むように転接することで、その長手方向の中間部が次第に上方へと湾曲するように撓んでいく（図４（ｂ）参照）。
【００４１】
捲り上がっていく付箋紙１２ｈの先端が送りローラ４１の下側を通過した直後に、送りローラ４１が回転しながら移動して付箋紙束１２から離間すると、付箋紙１２ｈは、送りローラ４１の回転力により、送りローラ４１の上側に撥ね上げられ、自由端部が送りローラ４１の上側に載り上げる（図４（ｃ）参照）。
【００４２】
付箋紙１２ｈを載せた送りローラ４１は、続いて、回転（自転）しながら回動アーム５３により挟持位置２５に移動（公転）する（図４（ｄ）参照）。このとき、送りローラ４１は、付箋紙１２ｈの裏面に摺接して付箋紙１２ｈを送りローラ４１の上側に載せた状態を維持しながら、回動アーム５３が、付箋紙１２ｈを湾曲させてサーマルヘッド６１に挟持させるよう挟持位置２５に向かって回動する。送りローラ４１が挟持位置２５に達してサーマルヘッド６１との間に付箋紙１２ｈを挟持すると、これに併せてインクリボンＲの送りが開始される（図４（ｅ）参照）。
【００４３】
湾曲した状態で挟持された付箋紙１２ｈが、送りローラ４１により送り出されると、付箋紙１２ｈは、糊付け部によりバックテンションが付与され、伸びきった状態となる。さらに、付箋紙１２ｈを回転送りすると、付箋紙束１２から付箋紙１２ｈが鈍角方向に引き剥がされ、自由端側を先にして排紙口１７に向けて送り出されてゆく。一方、サーマルヘッド６１は、付箋紙送り開始直後から駆動を開始し、付箋紙１２ｈへの印刷を行う。このとき、送りローラ４１は、プラテンローラとして機能する。すなわち、糊付け部を引き剥がしながら、サーマルヘッド６１と送りローラ４１とが協働して、付箋紙１２ｈの表面に自由端側から印刷を行う（図４（ｆ）参照）。
【００４４】
そして、付箋紙１２ｈの糊付け部が送りローラ４１に達したところで、送りローラ４１の回転が停止する。この後、排紙口１７から飛び出した付箋紙１２ｈをユーザが引き抜くことにより、検出センサ２４は、付箋紙１２ｈの後端（固定端）を検出する（「有」→「無」）。そして、付箋紙１２ｈの後端が検出されると、送りローラ４１は、挟持位置２５から捲り位置４５に移動し、再び印刷待機状態となる（図４（ｇ）参照）。
【００４５】
ここで、検出センサ２４の検出結果が「有」のままのとき、すなわちユーザにより付箋紙１２ｈが引き出されていないときに、次の印刷開始を指示したとしても、パソコン３の制御部１０５により、駆動モータ４２が駆動しないようになっている。
【００４６】
以上のように、本実施形態の付箋紙プリンタ２によれば、付箋紙束１２から付箋紙１２ｈを容易に引き剥がせる構成となっているため、引き剥がし時に付与されるバックテンションは、極力小さいものとすることができ、印刷送りを安定したものとすることができる。これにより、付箋紙１２ｈに対し良好に印刷を行うことができる。
【００４７】
なお、本実施形態では、付箋紙１２ｈを鈍角方向に引き剥がすよう挟持位置２５を設計しているが、略直角方向に引き剥がすよう挟持位置２５を決めても良い。すなわち、仮想線６８よりもやや内側（図示左側）であっても、付箋紙束１２から付箋紙１２ｈを容易に引き剥がせればよい。また、送りローラ４１とサーマルヘッド６１との間に付箋紙１２ｈを挟持して印刷送りしているが、サーマルヘッド６１に代えて、受動ローラを設け、送りローラ４１と受動ローラ（グリップローラ）との間に付箋紙１２ｈを挟持して送り、この下流側直近にサーマルヘッド６１を配置してもよい。
【図面の簡単な説明】
【００４８】
【図１】本実施形態の付箋紙プリンタを組み込んだ付箋紙印刷システムの説明図である。
【図２】本実施形態に係る付箋紙プリンタの全体斜視図である。
【図３】付箋紙印刷システムを示す概念図である。
【図４】付箋紙プリンタによる一連の動作を示す説明図である。
【符号の説明】
【００４９】
１…付箋紙印刷システム  ２…付箋紙プリンタ  １２…付箋紙束  １２ｈ…付箋紙  ２０…付箋紙送り手段  ２３…印刷手段  ２５…挟持位置  ４１…送りローラ  ４４…ローラ移動機構  ４５…捲り位置  ６８…仮想線
【図１】
2007204265.tif 000003
【図２】
2007204265.tif 000004
【図３】
2007204265.tif 000005
【図４】
2007204265.tif 000006